(57)【要約】【課題】鳥類防除器に対して鳥が接近したり、接触したりしなくても、自然に流れる風の作用により、アームや支柱が揺動し、磁石が自然に回動して磁気を周囲に振りまくことができるようにする。【解決手段】支柱２と、その支柱が延在する方向と略直交する方向に延在させて軸方向の中途部を支柱に支持した揺動アーム３と、その揺動アームの軸方向の両側部に取り付けられた一対の先端磁石４，４と、を備えている。支柱２及び揺動アーム３の少なくとも一方に弾性を付与して撓み変形可能とし、一対の磁石４，４と揺動アーム３及び支柱２の少なくとも１つに、風の作用を受けて支柱及び揺動アームの少なくとも一方の撓み変形による揺動を増大させる羽根８を設けた。【選択図】図１
2013063043.tif 000002
【特許請求の範囲】
【請求項１】
支柱と、
前記支柱が延在する方向と略直交する方向に延在させて軸方向の中途部を前記支柱に支持した揺動アームと、
前記揺動アームの軸方向の両側部に取り付けられた一対の磁石と、を備え、
前記支柱及び前記揺動アームの少なくとも一方に弾性を付与して撓み変形可能とし、
前記一対の磁石と前記揺動アーム及び前記支柱の少なくとも１つに、風の作用を受けて前記支柱及び前記揺動アームの少なくとも一方の撓み変形による揺動を増大させる羽根を設けた
ことを特徴とする鳥類防除器。
【請求項２】
前記羽根は、前記一対の磁石に設けた
ことを特徴とする請求項１記載の鳥類防除器。
【請求項３】
前記一対の磁石は、互いに接合可能とされた２個の磁石片の組み合わせからなり、
前記羽根は、前記磁石片よりも直径の大きなシート状又は板状の部材からなり、
前記２個の磁石片で前記羽根を挟持して接着剤で固定した
ことを特徴とする請求項１記載の鳥類防除器。
【請求項４】
前記一対の磁石は、前記揺動アームに回転自在に支持し、
前記一対の磁石に、半径方向の外側に突出する複数の風受け片を設けた
ことを特徴とする請求項１記載の鳥類防除器。
【請求項５】
前記羽根は、前記揺動アームに固定して設けた
ことを特徴とする請求項１記載の鳥類防除器。
【請求項６】
前記羽根は、前記揺動アーム又は前記支柱に回転自在に支持し、
前記羽根に前記磁石を取り付けた
ことを特徴とする請求項１記載の鳥類防除器。
【請求項７】
前記磁石の磁力は、１０００ガウスから１５００ガウスまでの範囲内である
ことを特徴とする請求項１記載の鳥類防除器。
【発明の詳細な説明】
【技術分野】
【０００１】
本発明は、ハト、カラス等の鳥類がベランダや出窓等に侵入することを防止する鳥類防除器に関する。
【背景技術】
【０００２】
近年、都市で生息するハト、カラス等の鳥類が増加しており、これら鳥類が排泄する糞や、これに含まれている病原菌等による糞公害が問題になっている。例えば、マンションのベランダや出窓等は、ハトやカラス等の鳥類が止まり木の代わりに止まって休憩することが多くあり、その際にする糞によってベランダや出窓等が汚されることが多くなっている。そのため、ハトやカラス等の鳥類がベランダ等に侵入するのを防止するために、各種の鳥類追い払い機器、装置が提供されている。
【０００３】
従来の、この種の鳥類防除器としては、例えば、本願特許出願人が先に実用新案登録出願したもので、特許文献１に記載されているようなものがある。特許文献１には、ハトやムクドリ等の鳥類がベランダ等に侵入することを防止するための鳥類忌避装置に関するものが記載されている。
この特許文献１に記載された鳥類忌避装置は、支柱と、この支柱の上部に中央部を固定して取付けたアームとからなり、そのアームの両端に磁気体を設けてこのアームが中央部を支点として揺動自在となるように構成した、ことを特徴としている。
【先行技術文献】
【特許文献】
【０００４】
【特許文献１】実開平７−３００７７号公報  （第２−３頁、第１〜１１図）
【発明の概要】
【発明が解決しようとする課題】
【０００５】
しかしながら、上述した従来の鳥類忌避装置においては、アームの両端に取り付けた磁気体によって磁気を嫌う鳥を忌避すると共に、磁気に鈍感な鳥がアームに止まろうとしたときに鳥の自重によってアームを揺動させて鳥を驚かせて飛び去るようにしていた。そのため、この鳥類忌避装置は、鳥がアームの近くまで接近するか、或いはアームに接触しないと、その機能を効果的に発揮いすることができなかった。
【０００６】
本発明は、このような従来の課題に鑑みてなされたものであり、鳥類防除器に対して鳥が接近したり、接触したりしなくても、自然に流れる風の作用により、アームや支柱が揺動し、磁石が自然に回動して磁気を周囲に振りまくことができるようにする。そして、風によって揺動する鳥類防除器を、ハト等の鳥類が遠くから見えるようにして、鳥類がベランダや出窓等に侵入しないようにすることを目的とする。
【課題を解決するための手段】
【０００７】
上記課題を解決し、本発明の目的を達成するため、本発明の鳥類防除器は、支柱と、その支柱が延在する方向と略直交する方向に延在させて軸方向の中途部を支柱に支持した揺動アームと、その揺動アームの軸方向の両側部に取り付けられた一対の磁石と、を備えている。支柱及び揺動アームの少なくとも一方に弾性を付与して撓み変形可能とし、一対の磁石と揺動アーム及び支柱の少なくとも１つに、風の作用を受けて支柱及び揺動アームの少なくとも一方の撓み変形による揺動を増大させる羽根を設けたことを特徴としている。
【０００８】
また、本発明の鳥類防除器は、限定されるわけではないが、羽根は、一対の磁石に設けることが好ましい。同じく限定されるわけではないが、一対の磁石は、互いに接合可能とされた２個の磁石片の組み合わせからなり、羽根は、磁石片よりも直径の大きなシート状又は板状の部材からなり、２個の磁石片で羽根を挟持して接着剤で固定し、又は、リベット止め或いはカシメ止めとしてもよい。また、一対の磁石は、揺動アームに回転自在に支持し、一対の磁石に、半径方向の外側に突出する複数の風受け片を設けるとよい。更に、羽根は、揺動アームに固定して設ける構成とすることができる。そして、羽根は、揺動アーム又は支柱に回転自在に支持し、その羽根に磁石を取り付ける構成とすることができる。また、磁石の磁力は、１０００ガウスから１５００ガウスまでの範囲内であることが好ましい。
【発明の効果】
【０００９】
本発明の鳥類防除器によれば、鳥類防除器に対して鳥が接近したり接触したりしない場合においても、自然に流れる風の作用により揺動アーム及び支柱の少なくとも一方を揺動させ、揺動アーム及び磁石の揺動によって鳥類を驚かせると共に、揺動アームや支柱の撓みで磁石を回動させて磁気を周囲に振りまくことができる。これにより、揺動アーム等の揺動で鳥類に恐怖心を与えると共に、揺動アーム等に取り付けられている磁石が発生する磁石の磁場によって鳥類を追い払うことができ、鳥類がベランダや出窓等に侵入することを防止することができる。
【００１０】
また、本発明の鳥類防除器によれば、一対の磁石に羽根を設けることにより、磁石に風が直接磁石に当たるようにして、磁石を効率よく揺動させることができる。この際、一対の磁石を、それぞれ２個の磁石片の組み合わせによって形成すると共に、その磁石片よりも直径を大きくしたシート状又は板状の部材で羽根を形成し、その羽根を２個の磁石片で挟持して接着剤、リベット等で固定することにより、羽根を有する磁石を簡単且つ安価に製造することができる。また、一対の磁石を揺動アームに回転自在に支持し、各磁石に半径方向外側に突出する複数の風受け片を設けることにより、磁石を回転させてその回転力で磁石の磁気を周囲に飛散させることができる。
【００１１】
更に、本発明の鳥類防除器によれば、羽根を揺動アームに一体に設けることにより、揺動アームに風の力を作用させて磁石を揺動させることができる。また、羽根を揺動アーム及び支柱の少なくとも一方に回転自在に支持し、その羽根に磁石を取り付けることにより、羽根を介して磁石を回転させてその回転力で磁石の磁気を周囲に飛散させることができる。また、磁石の磁力を１０００ガウスから１５００ガウスまでの範囲内に設定することにより、この鳥類防除器が設置されるベランダや出窓等において磁石による電波障害等の弊害を発生することなく、ハトやカラス等の鳥類が嫌がる磁石の磁場を必要な範囲内において発生させて、ハトやカラス等の鳥類がベランダ等に近づくのを効果的に防止することができる。
【図面の簡単な説明】
【００１２】
【図１】本発明の第１の実施例に係る鳥類防除器の構成とその動作を説明する説明図である。
【図２】図１に示す鳥類防除器の磁石と羽根を分解して示す説明図である。
【図３】本発明の第２の実施例に係る鳥類防除器の磁石及び羽根を示す斜視図である。
【図４】図３の磁石及び羽根を使用した本発明の第２の実施例に係る鳥類防除器を示す斜視図である。
【図５】本発明の第３の実施例に係る鳥類防除器の磁石及び羽根を示す斜視図である。
【図６】図５の磁石及び羽根を使用した本発明の第３の実施例に係る鳥類防除器を示す斜視図である。
【図７】図５に示した羽根の変形実施例を示す斜視図である。
【図８】図５の磁石及び羽根を使用した本発明の第４の実施例に係る鳥類防除器を示す斜視図である。
【図９】本発明の第５の実施例に係る鳥類防除器を示す斜視図である。
【図１０】本発明の第１の実施例に係る鳥類防除器を用いた使用状態の一実施例を示す説明図である。
【発明を実施するための形態】
【００１３】
以下、本発明の実施の形態について、添付図面を参照して詳細に説明する。
図１に示すように、本発明の第１の実施の形態に係る鳥類防除器１は、支柱２と、揺動アーム３と、２個の先端磁石４，４と、１個の中央磁石５と、スタンド６とから主に構成されている。
【００１４】
支柱２は、適当な強さの弾性を有するコイルバネ（バネ支柱）によって形成されている。バネ支柱２は、軸方向の両端において軸方向外側へ突出する第１端部２ａ及び第２端部２ｂを有している。バネ支柱２の材質としては、例えば、ステンレス鋼、バネ鋼その他の金属製のバネ材が好適であるが、適当な強度及び弾性を有するエンジニアリングプラスチックを用いることもできる。バネ支柱２は、その軸方向を上下方向に向けた状態で配置されていて、下方に配置された第２端部２ｂがスタンド６に固定されて支持されている。なお、バネ支柱２は、弾性が無いか又は弾性の極めて小さな剛性の大きい柱材によって形成することもできる。
【００１５】
支柱２の上方に配置された第１端部２ａの先端には、球状に形成された中央磁石５が取り付けられている。中央磁石５には、直交するに方向に貫通する貫通穴が設けられており、その垂直方向の貫通穴に第１端部２ａの先端が貫通されている。そして、中央磁石５の水平方向の貫通穴に揺動アーム３が貫通されている。垂直方向の貫通穴と水平方向の貫通穴とは、互いに交わるように直接交差させて形成してもよく、また、所定の隙間を開けて交わらないように交差させる構成としてもよい。２つの貫通穴を交わるように直交させる場合、支柱２の第１端部２ａと揺動アーム３とは互いに直交させて一体に形成する。また、２つの貫通穴が互いに交わらない場合、支柱２の第１端部２ａと揺動アーム３とは別個独立に形成する。
【００１６】
中央磁石５の高さ位置、即ち、支柱２の高さは、防除の対象とする鳥類の種類によっても異なるが、例えば、ハトを対象とする場合には約１０ｃｍ、カラスを対象とする場合には約２０ｃｍ程度に設定することが好ましい。その理由は、一般に、ハトの頭の高さが１０ｃｍ程度であり、カラスの頭の高さが２０ｃｍ程度だからである。また、揺動アーム３の長さは、磁石の数や大きさ、重さ等によっても異なるが、例えば、図示実施例のように、中央部と両端の３箇所に磁石を配置する場合は、全長で３０ｃｍ〜５０ｃｍ程度が好適である。
【００１７】
揺動アーム３は、適当な強さの弾性を有する線材（例えば、ピアノ線、バネ鋼製の針金等）によって形成されている。揺動アーム３の軸方向の中間部は中央磁石５に固定されていて、揺動アーム３が中央磁石５と一体に移動可能とされている。この揺動アーム３の軸方向の両端部に、左右の先端磁石４，４がそれぞれ回動可能に取り付けられている。それぞれの先端磁石４は、揺動アーム３の軸方向の前後をカシメることにより、軸方向への移動を防止しつつ、揺動アーム３に対して回転自在に支持されている。左右の先端磁石４，４は、接着剤、圧入等の固着手段により揺動アーム３に対して固定する構成としてもよい。
【００１８】
先端磁石４は、図２に示すように、半球形をなす２個の磁石分割片４ａ，４ｂによって形成されており、これを組み立てることにより全体として１個の球体からなる先端磁石４が構成されている。各磁石分割片４ａ，４ｂには、その中央部を貫通する貫通穴７がそれぞれ設けられている。貫通穴７は、その一端が磁石分割片４ａ，４ｂの平面部の中央に開口され、他端は曲面部の中央に開口されている。この２個の磁石分割片４ａ，４ｂの間に、その磁石分割片４ａ，４ｂよりも直径の大きな羽根８が挟み込まれて一体的に構成されている。
【００１９】
羽根８は、磁石分割片４ａ，４ｂの直径よりも大きな直径を有する円板状の部材によって形成されている。羽根８の材質としては、例えば、金属、プラスチック、紙、ゴムその他の板材を用いることができる。羽根８の中央部には、その表裏面間を貫通する中央穴９が設けられている。羽根８は、先端磁石４の周囲を流れる風を受けるためのもので、その風を受けることができる形状であれば、この実施例に示した円形のものに限定されるものではない。羽根８の形状の他の例としては、例えば、四角形、六角形、八角形、星形、その他各種の形状を適用できるものである。２個の磁石分割片４ａ，４ｂと羽根８とは、接着剤を用いて固着する構成としてもよく、また、２個の磁石分割片４ａ，４ｂの磁力で挟持する構成としてもよい。
【００２０】
先端磁石４，４及び中央磁石５は、発生する磁力の強さが１０００ガウス〜１５００ガウスの範囲内のものであれば、各種の大きさ、形状のものを適用することができる。一般に、ハトやカラス等の鳥類は磁石の磁力を嫌がることが知られており、磁力をハトやカラスの脳に作用させると、ハトやカラスをその場所から退散させることができるためである。そのための磁石の磁力の強さは、１０００ガウス〜１５００ガウスの範囲内にあることが好ましく、好適な強さは１３００ガウス程度である。その理由は、磁力が１０００ガウス未満の場合には、磁力の強度が弱いためにハトやカラスに対する磁力の影響が少なく、ハト等を退散させることが困難だからである。また、磁力が１５００ガウス以上の場合には、周囲の環境に対する磁力の影響が大きくなりすぎてしまい、電波妨害等の弊害を生じるおそれがあるからである。これに対して、磁力が１３００ガウス程度である場合には、その磁場に近づくハトやカラスに対して、その磁力を確実に作用させてハトやカラスを確実に防除することが可能となる。
【００２１】
スタンド６は、支柱２を安定性良く支持するためのもので、円盤状に形成された支持板１１を有している。支持板１１の一面の中央部には、支柱２の第２端部２ｂを支持するための支持軸部１２が設けられている。この支持軸部１２に第２端部２ｂを嵌合することにより、支柱２がスタンド６に立設されている。
【００２２】
図３は、羽根の形態の第２の実施例を示すものである。この羽根１４は、複数枚（この実施例では３枚）の羽根片１４ａによって構成したものである。球体として形成された磁石１５の外周に３枚の羽根片１４ａを等間隔に配置し、羽根１４を扇風機の羽根車のように構成したものである。磁石１５には、その中央部を貫通する貫通穴１６が設けられている。
【００２３】
図４は、図３に示した羽根１４を有する磁石１５を、図１に示した実施例の揺動アーム３の両側先端部に取り付けた本発明の第２の実施例に係る鳥類防除器１８を示すものである。２つの先端磁石１５，１５は、揺動アーム３に対して回転自在に支持されている。２つの先端磁石１５，１５は、揺動アーム３に対して固定する構成としてもよい。その他の構成は、前記第１の実施例と同様である。
【００２４】
図５は、羽根の形態の第３の実施例に係る回転羽根２１を示すものである。この回転羽根２１は、揺動アーム３に対して回転自在に構成すると共に、揺動アーム３の軸方向と直交する方向に２個の磁石２３を配置し、２つの磁石２３，２３を回動させるように構成したものである。回転羽根２１は、楕円状に形成された羽根プレート２２と、この羽根プレート２２の長手方向の両端部に取り付けられた２個の磁石２３，２３を備えて構成されている。回転羽根２１は、揺動アーム３に対して固定する構成としてもよい。
【００２５】
羽根プレート２２は、長手方向の両端部を半円形に形成した細長い楕円形の薄い板状の部材からなり、長手方向の中央部に揺動アーム３が挿通される軸受部２４が設けられている。軸受部２４は、幅方向の中途部に長手方向へ延びる２つの切込みを設けると共に、２つの切込みの内側部分２４ａを一面側へ半円筒状に膨出させ、２つの切込みの外側部分２４ｂを他面側へ半円筒状に膨出させることにより全体として筒状をなすように形成されている。この軸受部２４の穴内に、揺動アーム３が挿通される。
【００２６】
羽根プレート２２の長手方向の両端部には、互いに離反する方向へ突出する２つの取付軸２５，２５が設けられている。２つの取付軸２５，２５は、軸受部２４から略等しい距離の位置に立設されている。一方の取付軸２５は羽根プレート２２の一面側に突出され、他方の取付軸２５は羽根プレート２２の他面側に突出されている。これらの取付軸２５に、図２に示したものと同様の形状を有する磁石分割片２３が取り付けられている。各取付軸２５は、その一端が羽根プレート２２に圧入により固定されていて、その先端部をカシメることにより取付軸２５からの磁石分割片２３の脱落を防止している。
【００２７】
図６は、図５に示した２個の磁石分割片２３，２３を有する羽根２１を、図１に示した実施例の揺動アーム３の両側先端部に回転自在に取り付けた本発明の第３の実施例に係る鳥類防除器２８を示すものである。２つの回転羽根２１，２１は、揺動アーム３に対して回転自在に支持されている。そして、揺動アーム３の軸方向の前後をカシメることにより、軸方向への移動を防止しつつ、揺動アーム３に対して回転自在に支持されている。その他の構成は、前記第１の実施例と同様である。
【００２８】
図７は、回転羽根の形態の第２の実施例を示すものである。この回転羽根３１は、前述した回転羽根２１を、その軸受部２４の両側で略９０度捻じ曲げて湾曲形成したものである。この回転羽根３１は、２個の磁石分割片２３，２３を９０度回転変位させた状態に配置することにより、飛行機のプロペラのように風の力を受けて回転し易くなるようにしたものである。
【００２９】
図８は、図５に示した２個の磁石分割片２３，２３を有する回転羽根２１を、図１に示した実施例の支柱２の上端部に回転自在に取り付けた本発明の第４の実施例に係る鳥類防除器３３を示すものである。揺動アーム３の左右の端部には、羽根８を有する球体の先端羽根４，４に代えて、羽根のない球体のみからなる先端磁石３４，３４が取り付けられている。この場合の先端磁石３４，３４は、揺動アーム３に対して回転自在に支持してもよく、また、揺動アーム３に固定して回転不能としてもよい。その他の構成は、前記第１の実施例と同様である。
【００３０】
図９は、本発明の第５の実施例に係る鳥類防除器３８を示すものである。この第５の実施例として示す鳥類防除器３８は、図１に示した実施例の揺動アーム３の２つを直角に交差して設けると共に、２本の揺動アーム３，３の先端側に、図１に示したような円盤状をなす羽根板３９を一体的に固定して設けたものである。２本の揺動アーム３，３の左右の端部には、羽根のない球体からなる先端磁石３４，３４がそれぞれ取り付けられている。また、スタンド６の支持板４１には、このスタンド６をベランダの手摺り等にネジ止めするための挿通穴４２が複数設けられている。
【００３１】
図１０は、本発明の実施例に係る鳥類防除器の使用形態の一例を説明する図である。上述した本発明に係る鳥類防除器１（１５，１８，２８，３３，３８）は、鳥類が止まって糞等をされては困る場所、例えば、住宅用マンションのベランダ５０の手摺り５１、マンションや寺院の屋根、ビルの屋上のパナペット、小型船舶の甲板等に設置して使用することができる。
【００３２】
鳥類防除器１（１５，１８，２８，３３，３８）は、ベランダ５０の手摺り５１や屋根等の所望の位置に、固定又は着脱可能に取り付ける。鳥類防除器１（１５，１８，２８，３３，３８）を所望の位置に固定して取り付ける場合は、例えば、スタンド６を接着剤や溶接等の固着手段を用いて固定する。一方、鳥類防除器１（１５，１８，２８，３３，３８）を所望の位置に着脱可能に取り付ける場合は、例えば、固定ネジや磁石等の着脱可能な取付手段を用いるようにする。
【００３３】
ここで、固定手段として固定ネジを用いる場合は、例えば、図１０に図示したように、スタンド６の支持板４１に挿通穴４２を設け、この挿通穴４２と固定ネジを用いて固定する。即ち、支持板４１の挿通穴４２に固定ネジのネジ軸部を挿入し、そのネジ軸部の先端を手摺り５１に設けたネジ穴に螺合させて、固定ネジで手摺り５１等の所定位置に鳥類防除器１（１５，１８，２８，３３，３８）を締め付け固定する。
【００３４】
また、固定手段として磁石を用いる場合は、例えば、支持板１１の下面に磁石を固定する。この場合、スタンド６の取付面が磁性を有する金属材料である場合には、支持板に取り付けた磁石だけで手摺り５１等の所定位置に鳥類防除器１（１５，１８，２８，３３，３８）を着脱可能に取り付けることができる。これに対して、スタンド６の取付面が磁性を有さない木材、コンクリート等の非磁性面である場合には、その非磁性面に磁石や磁性板を取り付けるようにする。これにより、例えば、ベランダに布団を干す場合のように、不要なときに簡単に取り外すことが可能となる。
【００３５】
鳥類防除器１（１５，１８，２８，３３，３８）は、複数個を一直線上に並べて設置することが好ましい。この場合、隣り合う鳥類防除器１（１５，１８，２８，３３，３８）間において、同じ磁極を対向させる（プラス同士又はマイナス同士）ことにより、互いの磁石を反発させてより大きく揺動させることが可能となる。
【００３６】
ここで、ハトやカラス等がベランダ５０の手摺り５１に止まるために手摺り５１に近づくと、ハトやカラス等の羽ばたきによって鳥類防除器１（１５，１８，２８，３３，３８）の周囲の空気が乱され、羽ばたきによる風が鳥類防除器１（以下、符号１５，１８，２８，３３，３８は省略する。）に吹き付けられる。この際の風圧は、その風圧を受ける面積に略比例するため、支柱２や揺動アーム３に作用する風力よりも左右の先端磁石４，４及び中央磁石５に作用する風力が大きくなる。特に、左右の先端磁石４，４には羽根８がそれぞれ取り付けられているため、これら左右の先端磁石４，４に作用する風力は、他の部分に加えられる風力よりも大きくなる。そして、揺動アーム３を支持している支柱２が大きな弾性（可撓性）を有するコイルバネによって形成されているため、支柱２の下部を揺動中心として中央磁石５及び揺動アーム３が、左右の先端磁石４，４のある方向に揺動される。
【００３７】
これにより、揺動アーム３の回動量に応じて左右の先端磁石４，４が大きく同方向へ揺動される。この左右の先端磁石４，４の大きな移動により、ハトやカラス等を驚かせて飛び去らせることができる。更に、左右の先端磁石４，４の揺動により磁気が周囲に飛び散り、鳥類防除器１の周囲の磁場を変動させて異常磁場として、より一層、鳥類が近づかないようにすることができる。
【００３８】
このように、本実施例の鳥類防除器１（１５，１８，２８，３３，３８）によれば、ハトやカラス等の鳥類は磁気を嫌うために、ベランダ５０や屋根等に近づかないようにして追い払うことができる。また、磁気に鈍感な鳥が揺動アーム３に止まろうとしても、揺動アーム３がユラユラ揺れるために、その鳥を驚かせて飛び去らせることができる。
【００３９】
前記実施例においては、揺動アーム３及び磁石を一平面上の１段に設置した例について説明したが、揺動アーム３及び磁石を二以上の平面上において複数段に設置する構成とすることができる。
【００４０】
以上説明したが、本発明は上述した実施例に限定されるものではなく、その趣旨を逸脱しない範囲内で各種の変形実施が可能である。例えば、上記実施例においては、支柱２としてコイルバネを用いた例について説明したため、支柱を弾性変形させて揺動アームを大きく揺動（又は回動）させることができるが、支柱は中実棒、中空パイプ等の剛体で形成してもよく、その場合には、揺動アームのみを弾性変形させて左右の先端磁石を揺動（又は回動）させることができる。
【符号の説明】
【００４１】
１，１５，１８，２８，３３，３８‥鳥類防除器、  ２‥支柱、  ３‥揺動アーム、  ４，３４‥先端磁石、  ４ａ，４ｂ，２３‥磁石分割片、  ５‥中央磁石、  １１，４１‥支持板、  １２‥支持軸部、  ２１，３１‥回転羽根、  ２２，３９‥羽根プレート、  ２４‥軸受部、  ２５‥取付軸、  ５０‥ベランダ、  ５１‥手摺り
【図１】
2013063043.tif 000003
【図２】
2013063043.tif 000004
【図３】
2013063043.tif 000005
【図４】
2013063043.tif 000006
【図５】
2013063043.tif 000007
【図６】
2013063043.tif 000008
【図７】
2013063043.tif 000009
【図８】
2013063043.tif 000010
【図９】
2013063043.tif 000011
【図１０】
2013063043.tif 000012